(57)【要約】【課題】部品点数が少なく、強度アップ及びデザイン性に優れ、グリップ時のホールド性の向上を図ることができる携帯機器の筐体を提供する。【解決手段】この筐体１０は、金属材料を中空押出し成形して構成された携帯機器（カメラ）の筐体である。筐体１０のグリップ部１６には、押出しダイスによって突起部１８が、筐体１０の押出し成形と同時に成形されている。この突起部１８は、グリップ部１８のホールド時の指掛かりとなり、ホールド性を向上させることができる。【選択図】  図１
2009133900.tif 000002
【特許請求の範囲】
【請求項１】
金属材料を中空押出し成形して構成された携帯機器の筐体構造において、
前記携帯機器のグリップ部に指掛かり部を前記筐体の押出し成形と同時に成形し、
前記指掛かり部を前記グリップ部のホールド時の指掛かりとすることを特徴とする携帯機器の筐体構造。
【請求項２】
前記指掛かり部は、１本又は複数本の突起部からなることを特徴とする請求項１に記載の携帯機器の筐体構造。
【請求項３】
前記突起部は、その上部が切削又は研磨されて光沢が出されていることを特徴とする請求項２に記載の携帯機器の筐体構造。
【請求項４】
前記指掛かり部は、偏肉による段部が生じるように成形されていることを特徴とする請求項１に記載の携帯機器の筐体構造。
【請求項５】
前記指掛かり部は、前記押出し成形時の押出し方向の筐体の全幅よりも短くなるように後加工によって切削されていることを特徴とする請求項１から４のいずれかに記載の携帯機器の筐体構造。
【請求項６】
前記携帯機器はカメラであり、
前記指掛かり部は、前記カメラの前面に成形されていることを特徴とする請求項１からの５いずれかに記載の携帯機器の筐体構造。
【請求項７】
金属材料を中空押出し成形して構成された携帯機器の筐体構造において、
前記携帯機器の少なくともグリップ部に凹溝又は凸状のローレット部を前記筐体の押出し成形と同時に成形し、
前記ローレット部を前記グリップ部のホールド時の滑り止めとすることを特徴とする携帯機器の筐体構造。
【請求項８】
前記携帯機器はカメラであり、
前記ローレット部は、前記カメラのグリップ部に成形されていることを特徴とする請求項７に記載の携帯機器の筐体構造。
【発明の詳細な説明】
【技術分野】
【０００１】
本発明は携帯機器の筐体構造に係り、特に中空押出し成形による成形品である携帯機器の筐体構造に関する。
【背景技術】
【０００２】
従来、撮像装置の外装筐体の側面に該外装筐体を装飾する装飾部材を取り付け、この装飾部材に三脚用ネジ穴を形成した撮像装置が提案されている（特許文献１）。また、この装飾部材は、外装筐体をホールドした時の指掛かりとなることを特徴としている。
【０００３】
また、金属板をプレス加工することにより撮像装置等の筐体を形成することは知られている。プレス加工された金属筐体において、筐体をホールドした時の指掛かり部は、別部品によって構成する場合と、プレス加工により指掛かり部を一体成形する場合とがある。
【特許文献１】特開２００７−２５６６４８号公報
【発明の開示】
【発明が解決しようとする課題】
【０００４】
特許文献１に記載の装飾部材等のように、外装筐体をホールドした時の指掛かり部を筐体とは別部品で構成する場合には、部品点数が増加し、コストアップとなる問題がある。
【０００５】
また、プレス加工により指掛かり部を一体成形する場合、指掛かりの形状は、プレス加工が可能なものに制約されるとう問題がある。更に、プレス加工される金属板は、板厚が薄いものに限られ、金属筐体には十分な強度がないため、インナーケースとの二重構造になっている。
【０００６】
本発明はこのような事情に鑑みてなされたもので、部品点数が少なく、強度アップ及びデザイン性に優れ、グリップ時のホールド性の向上を図ることができる携帯機器の筐体構造を提供することを目的とする。
【課題を解決するための手段】
【０００７】
前記目的を達成するために請求項１に係る発明は、金属材料を中空押出し成形して構成された携帯機器の筐体構造において、前記携帯機器のグリップ部に指掛かり部を前記筐体の押出し成形と同時に成形し、前記指掛かり部を前記グリップ部のホールド時の指掛かりとすることを特徴としている。
【０００８】
金属材料の中空押出し成形により携帯機器の筐体が構成されているため、筐体の合わせ目をなくすことができ（いわゆるシームレスデザインとすることができ）、滑らかで一体感のある優れた外観にすることができるとともに、従来のフロントキャビ、リアキャビの２部品の合わせ目での強度低下が発生しないという利点がある。また、強度が必要な箇所を偏肉（厚肉化）させることができ、部分的に偏肉させることにより、指掛かり部を同時に成形することができ、これによりグリップ時のホールド性を向上させることができる。
【０００９】
請求項２に示すように請求項１に記載の携帯機器の筐体構造において、前記指掛かり部は、１本又は複数本の突起部からなることを特徴としている。
【００１０】
請求項３に示すように請求項１に記載の携帯機器の筐体構造において、前記突起部は、その上部が切削又は研磨されて光沢が出されていることを特徴としている。例えば、ダイヤカット処理することにより、金属材料の地色の光沢を出すことができ、高級感、デザイン性の向上を図ることができる。
【００１１】
請求項４に示すように請求項１に記載の携帯機器の筐体構造において、前記指掛かり部は、偏肉による段部が生じるように成形されていることを特徴としている。
【００１２】
請求項５に示すように請求項１から４のいずれかに記載の携帯機器の筐体構造において、前記指掛かり部は、前記押出し成形時の押出し方向の筐体の全幅よりも短くなるように後加工によって切削されていることを特徴としている。これにより、押出し方向の筐体の全幅にわたって形成される指掛かり部のうちの必要な部分だけを残すことができる。また、後加工によって切削された部分に光沢を出すことができるとともに、偏肉部分の肉厚感を外観面に表すことができる。
【００１３】
請求項６に示すように請求項１から５のいずれかに記載の携帯機器の筐体構造において、前記携帯機器はカメラであり、前記指掛かり部は、前記カメラの前面に成形されていることを特徴としている。
【００１４】
請求項７に係る発明は、金属材料を中空押出し成形して構成された携帯機器の筐体構造において、前記携帯機器の少なくともグリップ部に凹溝又は凸状のローレット部を前記筐体の押出し成形と同時に成形し、前記ローレット部を前記グリップ部のホールド時の滑り止めとすることを特徴としている。
【００１５】
金属材料の中空押出し成形により携帯機器の筐体が構成されているため、筐体の少なくともグリップ部に、押出しダイスで決定されるローレット形状をもたせることができ、これによりグリップ時のホールド性を向上させることができる。尚、ローレット部は、筐体の全面に設けてもよいし、部分的に設けるようにしてもよく、ホールド時の滑り止めとしての機能をもたせることができればよい。また、ローレット部は、押出し成形時に同時に成形されるため、後加工でローレット部を形成する場合に比べて工数を少なくすることができる。
【００１６】
請求項８に示すように請求項７に記載の携帯機器の筐体構造において、前記携帯機器はカメラであり、前記ローレット部は、前記カメラのグリップ部に成形されていることを特徴としている。
【発明の効果】
【００１７】
本発明によれば、金属材料を中空押出し成形して携帯機器の筐体を成形し、特に携帯機器のグリップ部に指掛かり部や滑り止めのローレット部を、筐体の押出し成形と同時に成形するようにしたため、部品点数や加工工数が増加することなく、グリップ時のホールド性の向上を図ることができる。また、指掛かり部（偏肉部分）を研磨、一部切削等の後加工を行うことにより高級感、肉厚感及びデザイン性の向上を図ることができる。
【発明を実施するための最良の形態】
【００１８】
以下、添付図面に従って本発明に係る携帯機器の筐体構造の好ましい実施の形態について説明する。
【００１９】
＜第１の実施の形態＞
図１は本発明に係る携帯機器の筐体構造の第１の実施の形態を示す斜視図である。
【００２０】
同図に示すように、この携帯機器の筐体１０は、カメラ（デジタルカメラ）の筐体であり、前後方向の厚みが薄いほぼ矩形の平たい筒状に中空押出し成形されたものである。
【００２１】
押出し成形は、素材(ビレット)を耐圧厚肉容器の中に入れ、ピストンによって素材に圧力を加え、ダイス穴から押し出すことにより、所定の断面形状を持つ成形品を得る成形方法である。
【００２２】
押出し機の出口に様々な型のダイスを設け、このダイスを通して素材を押し出すことにより、任意形状の断面をもつ成形品を製造することができる。尚、素材としては、例えば、アルミ合金、マグネシウム合金、ステンレス等の金属材料が適用される。
【００２３】
図１に示す筐体１０は、カメラの縦方向（図１上の上下方向）に押出し成形され、上下に開口端１０Ａを有し、側面がシームレス化され、滑らかで一体感のあるデザインとなっている。また、側面部エッジ感と押出し断面形状Ｒとで「サークル＆エッジ」のデザインを演出することができる。更に、筐体１０には、従来のフロントキャビ、リアキャビの２部品からなる筐体のような合わせ目がなく、ここでの強度の低下を招くことがない。
【００２４】
また、筐体１０の側部１２、１４は、偏肉（厚肉化）させられており、グリッップしたときの剛性を出すことができるようになっている。
【００２５】
更に、図１に示すようにグリップ部１６には、部分的に偏肉させられてなる突起部（指掛かり部）１８が成形されている。この指掛かり部１８により、グリップ部１６を把持したときのホールド性を向上させることができる。尚、突起部１８は、筐体１０の押出し成形によって同時に成形されるため、押出し方向（図１の上下方向）の幅と同じ長さに成形される。
【００２６】
図２は突起部１８の断面図である。同図に示すように、突起部１８は、その断面がＲ形状に成形されている。そして、この突起部１８は、Ｒ部の途中（点線で示すライン２０）でダイヤカット処理される。このダイヤカットにより、指が滑りにくくなり（シャープエッジ）、ホールド性が更に向上する。尚、ダイヤカット部のエッジは、研磨、機械加工等によりエッジ処理される。
【００２７】
図３は、押出し成形後に機械加工された筐体１０を示す斜視図である。
【００２８】
前述したように、突起部１８の上部は、ダイヤカット処理され、このダイヤカット処理された突起部１８のカット面１８Ａには、素材（金属材料）の地色の光沢が現れる。これにより、高級感、デザイン性の向上を図ることができる。
【００２９】
また、筐体１０は、後加工（フライス加工等）により撮影レンズが配置される開口２２、フラッシュの発光部が配置される開口２４、及び液晶モニタが配置される開口２６等が形成される。
【００３０】
［突起部（指掛かり部）１８の第１の変形例］
図４は突起部の第１の変形例を示す断面図である。
【００３１】
同図（Ａ）に示す突起部１８は、断面がＲ形状に成形されているが、同図（Ｂ）に示すように突起部２８は、断面が略直方体で、コーナー部がＲ形状に成形された幅広の突起部であり、同図（Ｃ）に示す突起部３０は、断面がＲ形状に成形された２本の突起部である。
【００３２】
ダイヤカット処理用工具の幅をＷとすると、この幅Ｗの範囲内に前記突起部１８、２８、３０の幅が収まるように、各突起部１８、２８、３０の幅や本数等が設計されている。
【００３３】
これによれば、ダイヤカット処理用工具、及び段取りを変更することなく、様々な形状、本数の突起部（指掛かり部）のダイヤカット処理ができ、押出しダイスの変更のみのコストでデザイン形状の変更が可能になる。
【００３４】
尚、突起部１８、２８、３０のダイヤカット処理する高さ（点線で示すライン２０の高さ）は、同じである。
【００３５】
［突起部（指掛かり部）１８の第２の変形例］
図５に突起部１８の第２の変形例を示す。尚、筐体１０は、図１に示した筐体１０と同様に押出し成形されたものである。
【００３６】
図５に示すように、この突起部１８は、押出し成形時の押出し方向の筐体の全幅よりも短くなるように（指掛かりに必要な長さになるように）、図４上で上部と下部とが後加工によって切削されている。
【００３７】
突起部１９の切削された部分１８Ｂには、素材（金属材料）の地色の光沢が現れる。これにより、高級感、デザイン性の向上を図ることができる。また、偏肉部分の肉厚感を外観面に表すことができる。
【００３８】
＜第２の実施の形態＞
図６は本発明に係る携帯機器の筐体構造の第２の実施の形態を示す斜視図である。
【００３９】
同図に示すように、この携帯機器の筐体３０は、図１に示した第１の実施の形態の筐体１０とはグリップ部３２の形状が異なっている。
【００４０】
このグリップ部３２は、筐体３２の側部から前面にわたって偏肉（厚肉化）させられており、偏肉による段部（指掛かり部）３４が生じるように成形されている。この段部３４は、グリップ部３２を把持したときの指掛かり部として機能する。
【００４１】
図７は段部３４の断面図である。同図に示すように、段部３０は、点線で示すライン２０でダイヤカット処理される。このダイヤカットにより、指が滑りにくくなり（シャープエッジ）、ホールド性が更に向上する。また、ダイヤカットされた面には、素材（金属材料）の地色の光沢が現れる。
【００４２】
［段部（指掛かり部）３４の変形例］
図８に段部（指掛かり部）３４の変形例を示す。尚、筐体３０は、図６に示した筐体３０と同様に押出し成形されたものである。
【００４３】
図８に示すように、この段部３４は、押出し成形時の押出し方向の筐体の全幅よりも短くなるように（指掛かりに必要な長さになるように）、図８上で上部と下部とが後加工によって切削されている。
【００４４】
段部３４の切削された部分３４Ａには、素材（金属材料）の地色の光沢が現れる。これにより、高級感、デザイン性の向上を図ることができる。また、偏肉部分の肉厚感を外観面に表すことができる。
【００４５】
＜第３の実施の形態＞
図９は本発明に係る携帯機器の筐体構造の第３の実施の形態を示す斜視図である。
【００４６】
同図に示すように、この携帯機器の筐体４０は、図１に示した第１の実施の形態の筐体１０とはグリップ部４２の形状が異なっている。
【００４７】
このグリップ部４２は、筐体４０の側部から前面にわたって偏肉（厚肉化）させられており、更に複数本の凹溝からなるローレット部４４が成形されている。このローレット部４４は、グリップ部４２を把持したときの滑り止め部として機能し、グリップ時のホールド性を向上させることができる。
【００４８】
また、このローレット部４４は、筐体４０の押出し形成と同時に成形されるもので、押出しダイスによってローレット形状が決定される。
【００４９】
尚、ローレット部は、筐体４０の全面に設けてもよいし、部分的に設けるようにしてもよい。また、ローレット部は、複数本の凸状によって成形してもよく、ローレットのピッチ、凹溝の深さ、凸状の高さ等を含むローレット形状は、押出しダイスを作成するだけで、後加工（プレス、機械加工）に影響されずに、形状的なデザイン変更が容易にできる。更に、ローレット部４４により筐体４０の表面積が大きくなり、放熱効果が向上する。
【００５０】
＜変形例＞
この実施の形態では、突起部の上部をダイヤカット処理したが、これに限らず、研磨や研削によって素材の地色を出すように鏡面仕上げするようにしてもよい。
【００５１】
また、この実施の形態では、カメラの筐体について説明したが、本発明はカメラの筐体に限らず、携帯電話（カメラ付き携帯電話）、携帯情報端末（ＰＤＡ）、ポータブルプレーヤ、ゲーム機等の他の携帯機器の筐体でもよい。
【００５２】
更に、本発明は、以上の例には限定されず、本発明の要旨を逸脱しない範囲において、各種の改良や変形を行ってもよいことは言うまでもない。
【図面の簡単な説明】
【００５３】
【図１】図１は本発明に係る携帯機器の筐体構造の第１の実施の形態を示す斜視図である。
【図２】図２は図１に示した要部（突起部）の断面図である。
【図３】図３は押出し成形後に機械加工された筐体を示す斜視図である。
【図４】図４は突起部の第１の変形例を示す断面図である。
【図５】図５は図２に示した突起部の第２の変形例を示す筐体の斜視図である。
【図６】図６は本発明に係る携帯機器の筐体構造の第２の実施の形態を示す斜視図である。
【図７】図７は図６に示した要部（段部）の断面図である。
【図８】図８は図６に示した段部の変形例を示す筐体の斜視図である。
【図９】図９は本発明に係る携帯機器の筐体構造の第３の実施の形態を示す斜視図である。
【符号の説明】
【００５４】
１０、３０、４０…筐体、１６、３２、４２…グリップ部、１８、２８、３０…突起部（指掛かり部）、３４…段部（指掛かり部）、４４…ローレット部
【図１】
2009133900.tif 000003
【図２】
2009133900.tif 000004
【図３】
2009133900.tif 000005
【図４】
2009133900.tif 000006
【図５】
2009133900.tif 000007
【図６】
2009133900.tif 000008
【図７】
2009133900.tif 000009
【図８】
2009133900.tif 000010
【図９】
2009133900.tif 000011